【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
同期信号に同期して行う通信である同期通信と、前記同期信号と非同期で行う通信である非同期通信とで共有して使用する少なくとも１つの共有通信端子と、
前記非同期通信のコマンドを撮像装置に送信するタイミングが前記同期通信のコマンドを送信するタイミングと一致した場合、前記非同期通信のコマンドと前記同期通信のコマンドを同一のパケットで、前記共有通信端子を介して前記撮像装置に送信する制御部と
を備える交換レンズ。
【請求項２】
前記同期信号は、垂直同期信号または前記垂直同期信号を分周もしくは逓倍した信号である
請求項１に記載の交換レンズ。
【請求項３】
前記同期通信と前記非同期通信の双方は、非排他的通信である
請求項１または２に記載の交換レンズ。
【請求項４】
前記少なくとも１つの共有通信端子を用いた通信である前記同期通信及び前記非同期通信として、シリアルデータが伝送される
請求項１乃至３のいずれかに記載の交換レンズ。
【請求項５】
前記少なくとも１つの共有通信端子は、隣り合って配置された第１の共有通信端子及び第２の共有通信端子からなる
請求項１乃至４のいずれかに記載の交換レンズ。
【請求項６】
前記第１の共有通信端子の前記第２の共有通信端子側とは反対側の隣りに配置され、チップセレクト信号を伝送するチップセレクト端子をさらに備える
請求項５に記載の交換レンズ。
【請求項７】
前記第１の共有通信端子及び前記第２の共有通信端子は、チップセレクト信号を伝送する２個のチップセレクト端子の間に配置されている
請求項５または６に記載の交換レンズ。
【請求項８】
前記同期信号を通信するための同期信号端子と、２個の電源供給端子とをさらに備え、
前記同期信号端子は、前記２個の電源供給端子の間に配置されている
請求項１乃至７のいずれかに記載の交換レンズ。
【請求項９】
前記２個の電源供給端子の間に、グランド端子をさらに備える
請求項８に記載の交換レンズ。
【請求項１０】
前記制御部は、前記共有通信端子を介した前記同期通信及び前記非同期通信の制御を行う
請求項１乃至９のいずれかに記載の交換レンズ。
【請求項１１】
前記制御部は、前記同期信号を分周若しくは逓倍した信号に基づいて、前記同期通信のコマンドを前記撮像装置に送信する
請求項１乃至１０のいずれかに記載の交換レンズ。
【請求項１２】
前記制御部は、前記共有通信端子を介したコマンドの通信エラーが発生した場合、前記通信エラーが発生したこと示す情報を前記非同期通信で撮像装置に送信する
請求項１乃至１１のいずれかに記載の交換レンズ。
【請求項１３】
前記制御部は、前記通信エラーを、チェックサムを判定することにより検出する
請求項１２に記載の交換レンズ。
【請求項１４】
前記制御部は、前記共有通信端子を介した通信でコマンドを正常に受信した場合、前記コマンドを受信した旨の応答を返信しない
請求項１乃至１３のいずれかに記載の交換レンズ。
【請求項１５】
１または複数の光学要素を含むフォーカスレンズをさらに備え、
前記制御部は、前記フォーカスレンズの駆動量情報及び前記フォーカスレンズの速度情報の少なくとも一方を、前記非同期通信で前記撮像装置に送信する
請求項１乃至１４のいずれかに記載の交換レンズ。
【請求項１６】
同期信号に同期して行う通信である同期通信と、前記同期信号と非同期で行う通信である非同期通信とで共有して使用する少なくとも１つの共有通信端子を備える交換レンズが、
前記非同期通信のコマンドを撮像装置に送信するタイミングが前記同期通信のコマンドを送信するタイミングと一致した場合、前記非同期通信のコマンドと前記同期通信のコマンドを同一のパケットで、前記共有通信端子を介して前記撮像装置に送信する
交換レンズの通信方法。
【請求項１７】
同期信号に同期して行う通信である同期通信と、前記同期信号と非同期で行う通信である非同期通信とで共有して使用する少なくとも１つの共有通信端子と、
前記非同期通信のコマンドを交換レンズに送信するタイミングが前記同期通信のコマンドを送信するタイミングと一致した場合、前記非同期通信のコマンドと前記同期通信のコマンドを同一のパケットで、前記共有通信端子を介して前記交換レンズに送信する制御部と
を備える撮像装置。
【請求項１８】
同期信号に同期して行う通信である同期通信と、前記同期信号と非同期で行う通信である非同期通信とで共有して使用する少なくとも１つの共有通信端子を備える撮像装置が、
前記非同期通信のコマンドを交換レンズに送信するタイミングが前記同期通信のコマンドを送信するタイミングと一致した場合、前記非同期通信のコマンドと前記同期通信のコマンドを同一のパケットで、前記共有通信端子を介して前記交換レンズに送信する
撮像装置の通信方法。
【手続補正２】
【補正対象書類名】明細書
【補正対象項目名】０００７
【補正方法】変更
【補正の内容】
【０００７】
本技術の第１の側面の交換レンズは、同期信号に同期して行う通信である同期通信と、前記同期信号と非同期で行う通信である非同期通信とで共有して使用する少なくとも１つの共有通信端子と、前記非同期通信のコマンドを撮像装置に送信するタイミングが前記同期通信のコマンドを送信するタイミングと一致した場合、前記非同期通信のコマンドと前記同期通信のコマンドを同一のパケットで、前記共有通信端子を介して前記撮像装置に送信する制御部とを備える。
【手続補正３】
【補正対象書類名】明細書
【補正対象項目名】０００８
【補正方法】変更
【補正の内容】
【０００８】
本技術の第１の側面の交換レンズの通信方法は、同期信号に同期して行う通信である同期通信と、前記同期信号と非同期で行う通信である非同期通信とで共有して使用する少なくとも１つの共有通信端子を備える交換レンズが、前記非同期通信のコマンドを撮像装置に送信するタイミングが前記同期通信のコマンドを送信するタイミングと一致した場合、前記非同期通信のコマンドと前記同期通信のコマンドを同一のパケットで、前記共有通信端子を介して前記撮像装置に送信する。
【手続補正４】
【補正対象書類名】明細書
【補正対象項目名】０００９
【補正方法】変更
【補正の内容】
【０００９】
本技術の第１の側面においては、同期信号に同期して行う通信である同期通信と、前記同期信号と非同期で行う通信である非同期通信とで共有して使用する少なくとも１つの共有通信端子が交換レンズに設けられる。前記非同期通信のコマンドを撮像装置に送信するタイミングが前記同期通信のコマンドを送信するタイミングと一致した場合、前記非同期通信のコマンドと前記同期通信のコマンドが、同一のパケットで、前記共有通信端子を介して前記撮像装置に送信される。
【手続補正５】
【補正対象書類名】明細書
【補正対象項目名】００１０
【補正方法】変更
【補正の内容】
【００１０】
本技術の第２の側面の撮像装置は、同期信号に同期して行う通信である同期通信と、前記同期信号と非同期で行う通信である非同期通信とで共有して使用する少なくとも１つの共有通信端子と、前記非同期通信のコマンドを交換レンズに送信するタイミングが前記同期通信のコマンドを送信するタイミングと一致した場合、前記非同期通信のコマンドと前記同期通信のコマンドを同一のパケットで、前記共有通信端子を介して前記交換レンズに送信する制御部とを備える。
【手続補正６】
【補正対象書類名】明細書
【補正対象項目名】００１１
【補正方法】変更
【補正の内容】
【００１１】
本技術の第２の側面の撮像装置の通信方法は、同期信号に同期して行う通信である同期通信と、前記同期信号と非同期で行う通信である非同期通信とで共有して使用する少なくとも１つの共有通信端子を備える撮像装置が、前記非同期通信のコマンドを交換レンズに送信するタイミングが前記同期通信のコマンドを送信するタイミングと一致した場合、前記非同期通信のコマンドと前記同期通信のコマンドを同一のパケットで、前記共有通信端子を介して前記交換レンズに送信する。
【手続補正７】
【補正対象書類名】明細書
【補正対象項目名】００１２
【補正方法】変更
【補正の内容】
【００１２】
本技術の第２の側面においては、同期信号に同期して行う通信である同期通信と、前記同期信号と非同期で行う通信である非同期通信とで共有して使用する少なくとも１つの共有通信端子が撮像装置に設けられる。前記非同期通信のコマンドを交換レンズに送信するタイミングが前記同期通信のコマンドを送信するタイミングと一致した場合、前記非同期通信のコマンドと前記同期通信のコマンドが、同一のパケットで、前記共有通信端子を介して前記交換レンズに送信される。
【手続補正８】
【補正対象書類名】明細書
【補正対象項目名】００４１
【補正方法】変更
【補正の内容】
【００４１】
撮像素子７６は、例えば、CCD(Charge Coupled Device)またはCMOS（Complementary Metal Oxide Semiconductor）センサなどで構成され、被写体を撮像し、画像データを生成して出力する。